(57)【特許請求の範囲】
【請求項１】
断熱性基材の被覆方法であって、
当該断熱性基材は、その表面に凹凸模様を有し、かつ２色以上の着色領域を有する既存被膜を有するものであり、
当該断熱性基材の表面に、アクリルポリマーマトリクス中に赤外線反射性粉体及びアミノシランが混在する着色被膜（Ａ）を設け、
当該着色被膜（Ａ）の上には、平均一次粒子径１〜２００ｎｍのシリカがポリマーで固定化され、当該シリカと当該ポリマーとの固形分重量比が０．８：１〜５：１である透明被膜（Ｂ）を設けることを特徴とする被覆方法。
【請求項２】
上記断熱性基材は、色差（△Ｅ）が５以上となる着色領域が混在することを特徴とする請求項１に記載の被覆方法。
【請求項３】
上記着色被膜（Ａ）は、アクリルポリマーマトリクス中に赤外線反射性粉体、アミノシラン及びジメチルシロキサンが混在するものである請求項１または２に記載の被覆方法。
【発明の詳細な説明】
【技術分野】
【０００１】
本発明は、新規な被覆方法に関するものである。
【背景技術】
【０００２】
従来、建築物の壁面等には、各種の断熱性基材が用いられている。このような断熱性基材においては、その美観性を高めるため、仕上げ塗材等による被膜が設けられることが多い（例えば、特開平１０−１０１４５８等）
【０００３】
但し、このような断熱性基材で構成された壁面は、長期間屋外に曝されるため、降雨、粉塵等の影響によって汚染が生じ、折角の美観性が損われる場合がある。特に、一つの壁面内において部分的に著しい汚染が生じた場合は、美観性低下に与える影響が大きい。さらに、このような汚染が生じた部分では、太陽光の吸収度合が大きくなり、しかも下層への熱伝導が生じ難いため、温度上昇が引き起こされやすくなってしまう。断熱性基材上の局所的な温度上昇は、被膜の膨れ、剥れ等を誘発するおそれがある。
【先行技術文献】
【特許文献】
【０００４】
【特許文献１】特開平１０−１０１４５８号公報
【発明の概要】
【発明が解決しようとする課題】
【０００５】
本発明は、上述のような問題点に鑑みなされたものであり、断熱性基材表面に被膜を設けて美観性を高め、さらにはその被膜の局所的な温度上昇を緩和し、膨れ、剥れ等の不具合発生を抑制することを目的とするものである。
【課題を解決するための手段】
【０００６】
本発明者は、上記目的を達成するため鋭意検討を行った結果、断熱性基材に対し、特定の着色被膜（Ａ）と透明被膜（Ｂ）を設けることに想到し、本発明を完成させるに到った。
【０００７】
すなわち、本発明は以下の特徴を有するものである。
１． 断熱性基材の被覆方法であって、
当該断熱性基材は、その表面に凹凸模様を有し、かつ２色以上の着色領域を有する既存被膜を有するものであり、
当該断熱性基材の表面に、アクリルポリマーマトリクス中に赤外線反射性粉体及びアミノシランが混在する着色被膜（Ａ）を設け、
当該着色被膜（Ａ）の上には、平均一次粒子径１〜２００ｎｍのシリカがポリマーで固定化され、当該シリカと当該ポリマーとの固形分重量比が０．８：１〜５：１である透明被膜（Ｂ）を設けることを特徴とする被覆方法。
２．上記断熱性基材は、色差（△Ｅ）が５以上となる着色領域が混在することを特徴とする１．に記載の被覆方法。
３．上記着色被膜（Ａ）は、アクリルポリマーマトリクス中に赤外線反射性粉体、アミノシラン及びジメチルシロキサンが混在するものである１．または２．に記載の被覆方法。
【発明の効果】
【０００８】
上記１．に係る発明によれば、断熱性基材の表面に、着色被膜（Ａ）及び透明被膜（Ｂ）を設けることで、美観性が高まる。さらに、これら被膜の相乗作用によって、局所的な温度上昇が緩和され、膨れ、剥れ等の不具合発生が抑制される。上記１．に係る発明では、このような効果を長期にわたり発揮することができる。
【０００９】
上記２．に係る発明では、断熱性基材として、その表面に凹凸模様を有するものを対象とする。
凹凸模様を有する断熱性基材が長期間屋外に曝された場合、その表面における汚染は、特に凹部付近で顕著となりやすい。すなわち、凹部付近では、美観性低下とともに温度上昇が生じやすくなる。このような温度上昇は、被膜における不具合発生を助長するおそれがある。また、凹凸模様を有する断熱性基材では、その凹部乃至凸部において、それぞれ太陽光の当り方が異なるため、温度上昇の程度が大きくなる部分が生じ、その部分では被膜の不具合も生じやすくなる。
上記２．に係る発明では、このような断熱性基材に、上記着色被膜（Ａ）及び透明被膜（Ｂ）を設けることにより、基材全体において、その美観性が高まり、さらに局所的な温度上昇が緩和され、被膜の不具合発生も抑制できる。
【００１０】
上記３．に係る発明では、断熱性基材として、その表面に既存被膜を有するものを対象とする。
既存被膜を有する断熱性基材に対し、改装等の目的で被膜を設けると、既存被膜の経年劣化等に起因し、膨れ、剥れ等の不具合が生じやすくなる場合がある。
上記３．に係る発明では、このような断熱性基材に、上記着色被膜（Ａ）及び透明被膜（Ｂ）を設けることによって美観性が高まり、さらに膨れ、剥れ等の不具合発生も抑制できる。
【００１１】
上記４．に係る発明では、着色被膜（Ａ）として、アクリルポリマーマトリクス中に赤外線反射性粉体及びアミノシランが混在するものを使用する。
上記４．に係る発明によれば、断熱性基材等に対する被膜の密着性が高まり、剥れ、膨れ等の不具合発生を十分に抑制することができる。
【００１２】
上記５．に係る発明では、着色被膜（Ａ）として、アクリルポリマーマトリクス中に赤外線反射性粉体、アミノシラン及びジメチルシロキサンが混在するものを使用する。
上記５．に係る発明では、このような着色被膜（Ａ）を採用することで、被膜におけるひび割れ発生が十分に抑制され、密着性も一層高められる。
【図面の簡単な説明】
【００１３】
【図１】本発明被覆方法の一例を示す断面図である。
【図２】本発明被覆方法の別の一例を示す断面図である。
【発明を実施するための形態】
【００１４】
以下、本発明を実施するための形態について説明する。
図１は、本発明被覆方法の一例を示す断面図である。
【００１５】
本発明における断熱性基材１は、熱伝導率が低く、断熱性を有するものである。断熱性基材１としては、具体的には、熱伝導率が０．５Ｗ／（ｍ・Ｋ）以下ものが使用できる。このような断熱性基材１としては、例えば、軽量モルタル、軽量コンクリート、発泡コンクリート板、けい酸カルシウム板、パーライトセメント板、ロックウール板、グラスウール保温板等、あるいはこれらの複合体等が挙げられる。断熱性基材１は、一般のモルタル、コンクリート、スレート板等の基材上に、熱伝導率０．５Ｗ／（ｍ・Ｋ）以下の被膜を有するもの等であってもよい。
断熱性基材１としては、その表面が平坦なもの、またはその表面に凹凸模様を有するものが使用できる。本発明では、特に凹凸模様を有する断熱性基材１を対象にする場合、有利な効果が得られる。
断熱性基材１における凹凸模様としては、種々のものが挙げられ、例えばタイル調模様、レンガ調模様、幾何学的模様、縞模様、格子模様、水玉模様等の他、動植物等をデザイン化した図形模様等が挙げられる。具体的に、凹凸模様を正面から見たときの凸部の形状としては、例えば正方形、長方形、円形、楕円形、三角形、菱形、多角形、不定形等の形状が挙げられる。また、凹凸模様における凸部の断面形状としては、例えば台形、正方形、長方形、半円形、波形、階段形、三角形、山形等が挙げられる。凹凸模様における凹部は、通常は平坦であり、目地を形成するものが好ましい。凹部と凸部との高低差は、各々の凸部で一定であっても相違していてもよいが、好ましくは２０ｍｍ以下、より好ましくは１〜１５ｍｍ程度である。
【００１６】
断熱性基材１としては、その表面に既存被膜２を有するものが使用できる（図２）。本発明では、このような既存被膜を有する断熱性基材１を対象にする場合にも、有利な効果が得られる。
さらに、本発明では、断熱性基材１として、凹凸模様を有し、かつ、２種以上の着色領域を有するものを対象とすることができる。このような断熱性基材１は、その表面に、２色以上の異色の既存被膜２を有するものである。各着色領域の色は特に限定されるものではないが、本発明は、明度、彩度、色相等が大きく異なる着色領域が混在する場合に、特に有利な効果が得られる。このような断熱性基材１としては、具体的には、色差（△Ｅ）が５以上（さらには１０以上）となる着色領域が混在するものが挙げられる。本発明では、凹部と凸部に、それぞれ異なる色の既存被膜を有する断熱性基材１を対象とする場合に、特に有利な効果を得ることができる。
【００１７】
断熱性基材１が、凹凸模様を有し、かつ２色以上の着色領域を有する場合、それぞれの着色領域において太陽光の吸収度合に差異が生じ、その吸収度合が大きな部分では温度上昇が生じやすくなる。特に、太陽光を吸収しやすい着色領域が、凹部付近に形成されている場合は、汚染物質による太陽光吸収作用と重なり、温度上昇が助長されるおそれがある。本発明は、このような問題点の改善にも有効に作用するものである。
【００１８】
本発明は、既存被膜２を有する断熱性基材１が経年劣化した際の改装仕様として適用できる。経年劣化の程度は、特に限定されるものではないが、壁面として概ね５年以上（さらには８年以上）使用されたものは、本発明の対象とすることができる。
【００１９】
本発明では、複数の断熱性基材１どうしの連結部に、シーリング材または乾式目地材が充填された壁面を対象とすることができる。この場合、複数の断熱性基材１は、連結部を介して併設され、断熱性基材１どうしの間には、連結部が設けられる。連結部の幅は、好ましくは３〜２０ｍｍ（より好ましくは５〜１５ｍｍ）程度である。この連結部に、シーリング材または乾式目地材が充填される。本発明は、断熱性基材１どうしの連結部にシーリング材が充填されたものである場合に、特に有利な効果が得られる。
シーリング材は、断熱性基材１と同様に経年劣化したものでもよいし、着色被膜（Ａ）の形成前に、新たに打設されたものであってもよい。本発明では、シーリング材が新たに打設された場合に、特に優れた効果が発揮できる。
【００２０】
シーリング材としては一般的なものが使用可能であり、例えば、シリコーン系シーリング材、変性シリコーン系シーリング材、ポリサルファイド系シーリング材、変性ポリサルファイド系シーリング材、アクリルウレタン系シーリング材、ポリウレタン系シーリング材、ＳＢＲ系シーリング材、ブチルゴム系シーリング材等が挙げられる。
シーリング材の充填方法としては、特に限定されず、例えば、ガンやへら等による公知の方法を採用することができる。
【００２１】
本発明では、特に、シーリング材として変性シリコーン系シーリング材を使用した場合に、優れた効果を得ることができる。
変性シリコーン系シーリング材は、変性シリコーン樹脂を含むシーリング材である。この変性シリコーン樹脂は、有機樹脂を主鎖とし、その末端または側鎖に少なくとも一つの反応性シリル基を有するものである。変性シリコーン樹脂の主鎖を構成する有機樹脂としては、例えば、ポリエーテル重合体、ポリエステル重合体、エーテル・エステルブロック共重合体、エチレン性不飽和化合物重合体、ジエン化合物重合体等が挙げられる。反応性シリル基としては、例えば、アルコキシシリル基、シラノール基等が挙げられる。
【００２２】
変性シリコーン樹脂におけるポリエーテル重合体は、アルキレンオキシドの繰返し単位を有するものである。アルキレンオキシドとしては、例えば、エチレンオキシド、プロピレンオキシド等が挙げられる。
ポリエステル重合体は、カルボキシル基含有化合物のエステルを繰返し単位として有するものである。カルボキシル基含有化合物としては、例えば、酢酸、プロピオン酸、マレイン酸、フタル酸、クエン酸、ピルビン酸、乳酸等が挙げられる。
エーテル・エステルブロック共重合体は、上記ポリエーテル重合体の繰返し単位と、上記ポリエステル重合体の繰返し単位を併有するものである。
エチレン性不飽和化合物重合体は、エチレン性不飽和化合物を単量体成分とするものである。エチレン性不飽和化合物としては、例えば、エチレン、プロピレン、イソブテン、（メタ）アクリル酸エステル、スチレン、酢酸ビニル等が挙げられる。エチレン性不飽和化合物重合体の具体例としては、例えば、エチレン−プロピレン共重合体、エチレン−酢酸ビニル共重合体、エチレン−アクリル酸エステル共重合体、ポリイソブチレン、ポリアクリル酸エステル、ポリメタクリル酸エステル等が挙げられる。
ジエン化合物重合体は、ジエン化合物を単量体成分とするものである。ジエン化合物としては、例えば、ブタジエン、クロロプレン、イソプレン等が挙げられる。ジエン化合物重合体の具体例としては、例えば、ポリブタジエン、スチレン−ブタジエン共重合体、アクリロニトリル−ブタジエン共重合体、エチレン−ブタジエン共重合体、ポリイソプレン、スチレン−イソプレン共重合体、イソブチレン−イソプレン共重合体、ポリクロロプレン、スチレン−クロロプレン共重合体、アクリロニトリル−クロロプレン共重合体等が挙げられる。
【００２３】
また、本発明では、シーリング材としてノンブリードタイプのものを使用した場合においても、優れた効果を得ることができる。ここに言うノンブリードタイプのシーリング材は、シーリング材中の可塑剤含有量が５重量％以下であるもの（好ましくは可塑剤を含まないもの）である。可塑剤としては、例えば、ジブチルフタレート、ジヘプチルフタレート、ジオクチルフタレート、ジ（２−エチルヘキシル）フタレート等のフタル酸エステル類、アジピン酸ジオクチル、セバシン酸ジオクチル等の脂肪族二塩基酸エステル類、トリクレジルホスフェート、トリブチルホスフェート等のリン酸エステル類、塩素化パラフィン等のハロゲン化脂肪族化合物等が挙げられる。これら可塑剤の分子量は、通常５００未満である。
ノンブリードタイプのシーリング材としては、例えば、上記条件を満たすアクリルウレタン系シーリング材、ポリウレタン系シーリング材、変成シリコーン系シーリング材等が挙げられる。本発明では、ノンブリードタイプの変成シリコーン系シーリング材を使用した場合において、特に優れた効果が得られる。
【００２４】
シーリング材の充填前には、予めバックアップ材充填やプライマー塗付等の処理を行っておいてもよい。バックアップ材としては、例えば、発泡ポリエチレン系バックアップ材等を使用することができる。プライマーとしては、例えば、合成ゴム系プライマー、アクリル系プライマー、ウレタン系プライマー、エポキシ系プライマー、シリコーンレジン系プライマー、シラン系プライマー等を使用することができる
【００２５】
本発明では、断熱性基材１の表面に、化粧被膜として、赤外線反射性粉体を含む着色被膜（Ａ）と、平均一次粒子径１〜２００ｎｍのシリカを含む透明被膜（Ｂ）を設ける。このような着色被膜（Ａ）及び透明被膜（Ｂ）は、断熱性基材１が凹凸模様を有する場合には、その凹凸模様を活かしつつ、美観性を高めるものである。また、断熱性基材１が既存被膜２を有する場合には、改装用の化粧被膜となるものである。
本発明では、着色被膜（Ａ）の赤外線反射作用によって、太陽光照射による温度上昇が抑制される。さらに、透明被膜（Ｂ）が汚染物質の付着を防止するため、汚染物質の太陽光吸収に起因する温度上昇が抑制される。本発明では、これら相乗作用によって、化粧被膜における膨れ、剥れ等の不具合を抑制することが可能となる。
【００２６】
このような作用に加え、本発明では、着色被膜（Ａ）の赤外線反射作用により、透明被膜（Ｂ）の温度上昇も抑えられる。もし透明被膜（Ｂ）が過度に温度上昇すると、被膜の軟化によって本来の汚染防止作用が発揮されなかったり、被膜の耐久性低下によって汚染防止作用が早期に損われたりするおそれがある。これに対し、本発明では、上記着色被膜（Ａ）の作用によって、透明被膜（Ｂ）の温度上昇が抑制され、十分な汚染防止効果が長期にわたり発揮される。これにより、着色被膜（Ａ）の色彩等に基づく美観性が長期にわたり保持され、汚染物質の太陽光吸収に起因する温度上昇も長期間回避できる。
【００２７】
着色被膜（Ａ）としては、ポリマーマトリクス中に赤外線反射性粉体が混在するものが好適である。ポリマーマトリクスを形成する樹脂としては、例えば、アクリル樹脂、ウレタン樹脂、酢酸ビニル樹脂、ウレタン樹脂、シリコン樹脂、フッ素樹脂、アクリル酢酸ビニル樹脂、アクリルウレタン樹脂、アクリルシリコン樹脂等が挙げられ、これらの１種または２種以上が使用できる。
【００２８】
赤外線反射性粉体としては、例えば、アルミニウムフレーク、酸化チタン、硫酸バリウム、酸化亜鉛、酸化鉄、炭酸カルシウム、酸化珪素、酸化マグネシウム、酸化ジルコニウム、酸化イットリウム、酸化インジウム、アルミナ、鉄クロム複合酸化物、マンガンビスマス複合酸化物、マンガンイットリウム複合酸化物等が挙げられ、これらの１種または２種以上が使用できる。赤外線反射性粉体の比率は、固形分換算で、ポリマーマトリクス１００重量部に対し、好ましくは３〜８００重量部、より好ましくは５〜６００重量部である。
【００２９】
着色被膜（Ａ）は、さらに赤外線透過性粉体を含むものであってもよい。これら赤外線透過性粉体を適宜組み合わせることにより、幅広い様々な色調が表出できる。赤外線透過性粉体としては、例えば、ペリレン顔料、アゾ顔料、黄鉛、弁柄、朱、チタニウムレッド、カドミウムレッド、キナクリドンレッド、イソインドリノン、ベンズイミダゾロン、フタロシアニングリーン、フタロシアニンブルー、コバルトブルー、インダスレンブルー、群青、紺青等が挙げられ、これらの１種または２種以上を用いることができる。赤外線透過性粉体の比率は、固形分換算で、ポリマーマトリクス１００重量部に対し、好ましくは１〜２００重量部、より好ましくは２〜１００重量部である。
【００３０】
本発明では、着色被膜（Ａ）の好適な態様として、アクリルポリマーマトリクス中に赤外線反射性粉体及びアミノシランが混在するもの（以下「着色被膜（Ａ１）」という）が挙げられる。
本発明では、このような着色被膜（Ａ１）を採用することで、断熱性基材１への密着性を高めることができる。特に、断熱性基材１が既存被膜２を有する場合に有効である。例えば、断熱性基材１が異なる着色領域を有する場合、各着色領域において劣化の状態に差異が生じやすく、密着性にも悪影響を及ぼすおそれがあるが、着色被膜（Ａ１）を使用すれば、このような各着色領域への密着性も十分に確保することができる。また本発明では、着色被膜（Ａ１）の使用によって、後述の着色被膜（Ａ’）または透明被膜（Ｂ）との密着性を高めることもできる。さらに、断熱性基材１どうしの連結部にシーリング材を有する壁面を対象とする場合、着色被膜（Ａ１）は、シーリング材との密着性にも優れる。
【００３１】
アクリルポリマーマトリクスは、アクリルポリマーによって形成される樹脂母体である。このアクリルポリマーは、少なくとも１種以上の（メタ）アクリル酸アルキルエステルを含むモノマー混合物の重合体である。
（メタ）アクリル酸アルキルエステルの具体例としては、例えばメチル（メタ）アクリレート、エチル（メタ）アクリレート、イソプロピル（メタ）アクリレート、ｎ−ブチル（メタ）アクリレート、イソブチル（メタ）アクリレート、ｎ−アミル（メタ）アクリレート、イソアミル（メタ）アクリレート、ｎ−ヘキシル（メタ）アクリレート、２−エチルヘキシル（メタ）アクリレート、オクチル（メタ）アクリレート、デシル（メタ）アクリレート、ドデシル（メタ）アクリレート、オクタデシル（メタ）アクリレート、シクロヘキシル（メタ）アクリレート、フェニル（メタ）アクリレート、ベンジル（メタ）アクリレート等が挙げられる。これらは１種または２種以上で使用することができる。
【００３２】
モノマー混合物における（メタ）アクリル酸アルキルエステルの構成比率は、好ましくは３０重量％以上、好ましくは５０重量％以上、より好ましくは６０重量％以上である。上限は特に限定されないが、好ましくは９９．８重量％以下、より好ましくは９９．５重量％以下、さらに好ましくは９９重量％以下である。
【００３３】
アクリルポリマーにおいては、上記（メタ）アクリル酸アルキルエステルと共重合可能なモノマーを共重合することができる。このようなモノマーとしては、例えば、カルボキシル基、アミノ基、アミド基、エポキシ基、カルボニル基、水酸基等の官能基を有するモノマーの他、酢酸ビニル、塩化ビニル、スチレン等が挙げられる。
【００３４】
アクリルポリマーのガラス転移温度は、好ましくは−２０〜８０℃、より好ましくは−１０〜６０℃である。なお、ガラス転移温度は、Ｆｏｘの計算式によって求められる値である。
【００３５】
アミノシランは、アミノ基及び反応性シリル基を有する化合物である。反応性シリル基としては、例えば、アルコキシシリル基、シラノール基等が挙げられる。
アミノシランとしては、例えば、γ−アミノプロピルトリメトキシシラン、γ−アミノプロピルトリエトキシシラン、Ｎ−（β−アミノエチル）−γ−アミノプロピルトリメトキシシラン、Ｎ−（β−アミノエチル）−γ−アミノプロピルトリエトキシシラン、γ−アミノプロピルメチルジメトキシシラン、γ−アミノプロピルメチルジエトキシシラン、γ−アミノプロピルジメチルメトキシシラン、γ−アミノプロピルジメチルエトキシシラン、Ｎ−（β−アミノエチル）−γ−アミノプロピルメチルジメトキシシラン、Ｎ−（β−アミノエチル）−γ−アミノプロピルメチルジエトキシシラン、Ｎ−（６−アミノヘキシル）アミノプロピルトリメトキシシラン、Ｎ−（６−アミノヘキシル）アミノプロピルトリエトキシシラン、Ｎ−（β−アミノエチル）−γ−アミノイソブチルトリメトキシシラン、Ｎ−（β−アミノエチル）−γ−アミノイソブチルメチルジメトキシシラン、γ−アミノプロピルジイソプロピルトリメトキシシラン、γ−アミノプロピルジイソプロピルトリエトキシシラン、γ−アミノプロピルメチルビス（トリメチルシロキシ）シラン、γ−ウレイドプロピルトリメトキシシラン、γ−ウレイドプロピルトリエトキシシラン、Ｎ−フェニル−γ−アミノプロピルトリメトキシシラン、Ｎ−フェニル−γ−アミノプロピルトリエトキシシラン、Ｎ−ベンジル−γ−アミノプロピルトリメトキシシラン、Ｎ−ベンジル−γ−アミノプロピルトリエトキシシラン、３−（ｍ−アミノフェノキシ）プロピルトリメトキシシラン、３−（ｍ−アミノフェノキシ）プロピルトリエトキシシラン、ｍ−アミノフェニルトリメトキシシラン、ｍ−アミノフェニルトリエトキシシラン、ｐ−アミノフェニルトリメトキシシラン、ｐ−アミノフェニルトリエトキシシラン、アミノフェニルトリメトキシシラン、アミノフェニルトリエトキシシラン、γ−アミノプロピルトリス（メトキシエトキシエトキシ）シラン、γ−アミノプロピルトリス（トリメチルシロキシ）シラン、２−アミノエチルアミノメチルベンジロキシジメチルシラン、（アミノエチルアミノメチル）フェネチルトリメトキシシラン、Ｎ−ビニルベンジル−γ−アミノロピルトリエトキシシラン等から選ばれる１種以上が挙げられる。この中でも、１分子中にアミノ基を２つ以上（好ましくは２つ）有するアミノシランが好適である。
アミノシランの重量比率は、固形分換算で、アクリルポリマーマトリクス１００重量部に対し、好ましくは０．１〜２０重量部、より好ましくは０．５〜１０重量部である。
【００３６】
本発明では、着色被膜（Ａ）として、アクリルポリマーマトリクス中に赤外線反射性粉体、アミノシラン及びジメチルシロキサンが混在するもの（以下「着色被膜（Ａ２）」という）を使用することができる。本発明では、このような成分を含む着色被膜（Ａ２）を用いることにより、断熱性基材１との密着性、断熱性基材１への追従性等を高めることが可能となる。断熱性基材１どうしの連結部にシーリング材を有する壁面を対象とする場合、着色被膜（Ａ２）は、シーリング材との密着性向上にも有利であり、シーリング材の変位に追従しつつ、その変化を緩和する性能を付与することもできる。さらに、着色被膜（Ａ２）は、後述の着色被膜（Ａ’）または透明被膜（Ｂ）との密着性向上にも寄与する。
このような作用により、着色被膜（Ａ２）では、被膜の剥れ、ひび割れ等を十分に抑制することができる。このような効果は、ジメチルシロキサンとアミノシランの相乗的作用によって奏されるものと推察される。
アクリルポリマー、アミノシランとしては、上述と同様のものが使用できる。
【００３７】
着色被膜（Ａ２）におけるジメチルシロキサンは、ジメチルジアルコキシシラン、ジメチルシロキサンオリゴマー等を原料として合成されたものである。ジメチルジアルコキシシランとしては、例えば、ジメチルジメトキシシラン、ジメチルジエトキシシラン等が挙げられる。ジメチルシロキサンオリゴマーとしては、例えば、ヘキサメチルシクロトリシロキサン、オクタメチルシクロテトラシロキサン、デカメチルシクロペンタシロキサン、ドデカメチルシクロヘキサシロキサン、テトラデカメチルシクロヘプタシロキサン等が挙げられる。ジメチルシロキサンの平均分子量は、好ましくは１００００以上、より好ましくは５００００以上である。
ジメチルシロキサンの重量比率は、固形分換算で、アクリルポリマーマトリクス１００重量部に対し、好ましくは１〜２００重量部、より好ましくは５〜１００重量部である。
【００３８】
着色被膜（Ａ）は、上記成分を含む被覆材を塗付・乾燥させることにより形成できる。この被覆材は、本発明の効果が著しく損われない範囲内であれば、上記成分以外の各種成分を含むものであってもよい。このような成分としては、例えば、艶消し剤、増粘剤、造膜助剤、レベリング剤、湿潤剤、可塑剤、凍結防止剤、ｐＨ調整剤、防腐剤、防黴剤、防藻剤、抗菌剤、分散剤、消泡剤、吸着剤、繊維、架橋剤、紫外線吸収剤、酸化防止剤、触媒等が挙げられる。
【００３９】
断熱性基材１に上記被覆材を塗付する際には、例えば、刷毛、ローラー、スプレー等の公知の塗装器具を用いることができる。断熱性基材１どうしの連結部に、新たにシーリング材を打設した場合は、シーリング材の打設後、概ね２〜１０日後に上記被覆材を塗付すればよい。  
本発明では、断熱性基材１の全面に、上記被覆材を塗付することにより、着色被膜（Ａ）を形成することができる。被覆材の塗付け量は、固形分換算で、好ましくは１０〜３００ｇ／ｍ２程度である。
【００４０】
本発明では、上記着色被膜（Ａ）上の一部の領域に対し、上記着色被膜（Ａ）とは異色であって、赤外線反射性粉体及び／または赤外線透過性粉体を含む着色被膜（Ａ’）を設けることができる。このような着色被膜の積層によって、２色以上の着色領域を有する所望の外観仕上げを得ることができる。また、既存被膜２の意匠性を再現することも可能となる。
【００４１】
着色被膜（Ａ’）としては、ポリマーマトリクス中に赤外線反射性粉体及び／または赤外線透過性粉体が混在するものが好適である。ポリマーマトリクス、赤外線反射性粉体、赤外線透過性粉体については、着色被膜（Ａ）で述べたものと同様のものが使用できる。なお、着色被膜（Ａ’）では、赤外線反射性粉体、赤外線透過性粉体のいずれか一方、または両方を含むものが使用できる。また、本発明では、着色被膜（Ａ’）を形成する被覆材として、前記着色被膜（Ａ）と同様の被覆材を使用することもできる。
【００４２】
着色被膜（Ａ’）は、上記被覆材を塗付・乾燥させることにより形成できる。塗装器具としては、例えば、刷毛、ローラー、スプレー、鏝等の公知のものが使用できる。
着色被膜（Ａ’）を形成する被覆材は、着色被膜（Ａ）上の一部の領域に塗付すればよい。例えば、断熱性基材１が凹凸模様を有する場合は、凸部、凹部のいずれか一方に被覆材を塗付することにより、着色被膜（Ａ’）を形成することができる。着色被膜（Ａ’）の色は、仕上り外観等を考慮して適宜設定することができる。また、塗付け量は、使用する材料に応じて適宜設定すればよい。
【００４３】
透明被膜（Ｂ）は、化粧被膜の最表面に設けられるものである。本発明における透明被膜（Ｂ）としては、平均一次粒子径１〜２００ｎｍのシリカがポリマーで固定化されたものが好適である。
【００４４】
このうち、シリカは、粒子自体の硬度が高く、さらに粒子表面にシラノール基を多く有すること等によって、優れた汚染防止効果を発揮するものである。
シリカの平均一次粒子径は、通常１〜２００ｎｍ、好ましくは５〜１００ｎｍである。この範囲内であれば、平均一次粒子径が異なる複数のシリカを併用することもできる。シリカの平均一次粒子径が２００ｎｍよりも大きい場合は、比表面積が小さくなり、シラノール基も減るため汚染防止性が不十分となる。平均一次粒子径が１ｎｍよりも小さい場合は、シリカ自体が不安定化するため、実用的でない。なお、ここに言う平均一次粒子径は、光散乱法によって測定される値である。
【００４５】
透明被膜（Ｂ）のシリカは、シリカゾルに由来するものが好適であり、さらにはｐＨ５．０以上８．５未満（好ましくは６．０以上８．０以下）の水分散性シリカゾルに由来するものがより好適である。
このような中性タイプの水分散性シリカゾルは、シリケート化合物を原料として製造することができる。シリケート化合物としては、例えば、テトラメトキシシラン、テトラエトキシシラン、テトラｎ−プロポキシシラン、テトライソプロポキシシラン、テトラｎ−ブトキシシラン、テトライソブトキシシラン、テトラｓｅｃ−ブトキシシラン、テトラｔ−ブトキシシラン、テトラフェノキシシラン等、あるいはこれらの縮合物等が挙げられる。この他、上記シリケート化合物以外のアルコキシシラン化合物や、アルコール類、グリコール類、グルコールエーテル類、フッ素アルコール、シランカップリング剤、ポリオキシアルキレン基含有化合物等を併せて使用することもできる。
【００４６】
上記シリカを固定化するポリマーとしては、各種樹脂が使用できる。具体的には、例えば、アクリル樹脂、ウレタン樹脂、酢酸ビニル樹脂、ウレタン樹脂、シリコン樹脂、フッ素樹脂、アクリル酢酸ビニル樹脂、アクリルウレタン樹脂、アクリルシリコン樹脂等が挙げられ、これらの１種または２種以上が使用できる。このような樹脂としては、水溶性樹脂及び／または水分散性樹脂が好適である。
【００４７】
透明被膜（Ｂ）におけるシリカとポリマーとの固形分重量比（シリカ：ポリマー）は、好ましくは０．５：１〜５：１、より好ましくは０．８：１〜４：１、さらに好ましくは１：１〜３：１である。このような比であれば、十分な汚染防止効果が得られるとともに、下層の被膜との密着性が高まり、本発明の効果が長期にわたり安定して発揮される。
【００４８】
透明被膜（Ｂ）は、上記成分を含む被覆材を塗付・乾燥させることにより形成できる。この被覆材は、着色被膜（Ａ）上の全面に塗付すればよい。塗装器具としては、例えば、刷毛、ローラー、スプレー等の公知のものを用いることができる。透明被膜（Ｂ）を形成する際の被覆材の塗付け量は、固形分換算で、好ましくは０．１〜５０ｇ／ｍ２、より好ましくは０．５〜２０ｇ／ｍ２である。
【実施例】
【００４９】
以下に実施例を示し、本発明の特徴をより明確にする。
【００５０】
＜試験Ｉ＞
（試験体作製）
基材として、促進耐候性試験機に曝露された軽量コンクリート板を用意した。この軽量コンクリート板は、表面にタイル調の凹凸模様を有し、凹部には黒色のアクリル系被膜、凸部には淡褐色のアクリル系被膜を有するものであり、凹部よりも凸部の劣化が進行した状態であった。熱伝導率は０．２Ｗ／（ｍ・Ｋ）である。
この基材の全面に対し、被覆材Ａを塗付け量８０ｇ／ｍ２（固形分）でスプレー塗装し、１日間養生後、被覆材Ｂを塗付け量３ｇ／ｍ２（固形分）でスプレー塗装し、７日間養生することにより、試験板を得た。なお、塗装、養生はすべて標準状態（気温２３℃、相対湿度５０％）下で行った。
【００５１】
被覆材Ａとしては、それぞれ以下に示すものを使用した。
・被覆材Ａ１：アクリルポリマー（メチルメタクリレート-ｎ−ブチルアクリレート-２−エチルヘキシルアクリレート共重合樹脂、ガラス転移温度５℃）：アミノシラン（Ｎ−（β−アミノエチル）−γ−アミノプロピルトリメトキシシラン）：赤外線反射性粉体（鉄クロム複合酸化物）＝９８：２：８（固形分重量比）の黒色水性被覆材。
・被覆材Ａ２：アクリルポリマー（メチルメタクリレート-ｎ−ブチルアクリレート-２−エチルヘキシルアクリレート共重合樹脂、ガラス転移温度５℃）：アミノシラン（γ−アミノプロピルトリメトキシシラン）：赤外線反射性粉体（鉄クロム複合酸化物）＝９８：２：８（固形分重量比）の黒色水性被覆材。
・被覆材Ａ３：アクリルポリマー（メチルメタクリレート-ｎ−ブチルアクリレート-２−エチルヘキシルアクリレート共重合樹脂、ガラス転移温度５℃）：アミノシラン（Ｎ−（β−アミノエチル）−γ−アミノプロピルトリメトキシシラン）：ジメチルシロキサン（ジメチルシロキサンオリゴマーの合成物）：赤外線反射性粉体（鉄クロム複合酸化物）＝７８：２０：２：８（固形分重量比）の黒色水性被覆材。
・被覆材Ａ４：アクリルポリマー（メチルメタクリレート-ｎ−ブチルアクリレート-２−エチルヘキシルアクリレート共重合樹脂、ガラス転移温度５℃）：ジメチルシロキサン（ジメチルシロキサンオリゴマーの合成物）：赤外線反射性粉体（鉄クロム複合酸化物）＝８０：２０：８（固形分重量比）の黒色水性被覆材。
・被覆材Ａ５：アクリルポリマー（メチルメタクリレート-ｎ−ブチルアクリレート-２−エチルヘキシルアクリレート共重合樹脂、ガラス転移温度５℃）：シラン化合物（γ−グリシドキシプロピルトリメトキシシラン）：赤外線反射性粉体（鉄クロム複合酸化物）＝９８：２：８（固形分重量比）の黒色水性被覆材。
・被覆材Ａ６：アクリルポリマー（メチルメタクリレート-ｎ−ブチルアクリレート-２−エチルヘキシルアクリレート共重合樹脂、ガラス転移温度５℃）：シラン化合物（ポリエーテル鎖含有トリメトキシシラン）：赤外線反射性粉体（鉄クロム複合酸化物）＝９８：２：８（固形分重量比）の黒色水性被覆材。
・被覆材Ａ７：アクリルポリマー（メチルメタクリレート-ｎ−ブチルアクリレート-２−エチルヘキシルアクリレート共重合樹脂、ガラス転移温度５℃）：シラン化合物（ビニルトリメトキシシラン）：赤外線反射性粉体（鉄クロム複合酸化物）＝９８：２：８（固形分重量比）の黒色水性被覆材。
・被覆材Ａ８：アクリルポリマー（メチルメタクリレート-ｎ−ブチルアクリレート-２−エチルヘキシルアクリレート共重合樹脂、ガラス転移温度５℃）：ジメチルシロキサン（ジメチルシロキサンオリゴマーの合成物）：赤外線吸収性粉体（カーボンブラック）＝８０：２０：８（固形分重量比）の黒色水性被覆材。
【００５２】
被覆材Ｂとしては、以下に示すものを使用した。
・被覆材Ｂ１：シリカ（水分散性シリカゾル、ｐＨ７．６、平均一次粒子径２７ｎｍ）：アクリルシリコンポリマー（メチルメタクリレート-ｎ−ブチルアクリレート-２−エチルヘキシルアクリレート-γ−メタクリロイルオキシプロピルトリメトキシシラン共重合樹脂、ガラス転移温度１８℃）＝１．５：１（固形分重量比）の水分散液。
・被覆材Ｂ２：アクリルシリコンポリマー（メチルメタクリレート-ｎ−ブチルアクリレート-２−エチルヘキシルアクリレート-γ−メタクリロイルオキシプロピルトリメトキシシラン共重合樹脂、ガラス転移温度１８℃）の水分散液。
【００５３】
（試験方法）
上述の方法で得られた試験板を、汚染物質懸濁液（濃度１重量％）に２時間浸漬し、引きあげて標準状態で２４時間放置した後、水洗・乾燥した。この試験板について、６０ｃｍの距離を設けて赤外線ランプを８時間照射した後、２３℃の水に１６時間浸漬するサイクルを、合計１０サイクル行った後、その外観変化を目視にて観察した。評価は、異常（膨れ、剥れ等）が認められないものを「Ａ」、明らかに異常が認められたものを「Ｄ」とする４段階（Ａ＞Ｂ＞Ｃ＞Ｄ）で行った。
【００５４】
（試験結果）
上記試験で使用した被覆材と、その試験結果を表１に示す。試験例１〜７では、良好な結果が得られた。
【００５５】
【表１】
0005846771.tif 000002
【００５６】
＜試験ＩＩ＞
（試験体作製）
前記＜試験Ｉ＞と同様の基材を用意し、この基材２枚を併設し、板間の連結部（幅１０ｍｍ）に変性シリコーン系シーリング材（樹脂成分：アルコキシシリル基含有ポリエーテル重合体、可塑剤含有量：１重量％未満）を充填したものを塗装対象の基材とした。
このようにして得られた基材の全面に対し、被覆材Ａを塗付け量８０ｇ／ｍ２（固形分）でスプレー塗装し、１日間養生後、被覆材Ｂを塗付け量３ｇ／ｍ２（固形分）でスプレー塗装し、７日間養生した。なお、塗装、養生はすべて標準状態下で行った。
【００５７】
（試験方法）
・密着性試験
上記方法で作製した試験体（３００×１５０ｍｍ）を５０℃の温水に７２時間浸漬した後、各部位（連結部、凹部、凸部）の被膜にカッターナイフでクロスカットを入れ、このクロスカット部分にテープを貼り付けて剥ぐことにより密着性を評価した。評価は、異常が認められなかったものを「Ａ」、剥れが認められたものを「Ｃ」とする３段階（Ａ＞Ｂ＞Ｃ）で行った。
【００５８】
・追従性試験
上記方法で作製した試験体（３００×１５０ｍｍ）について、標準状態で引張り試験機にて水平方向に３０％変位させたときの表面状態を観察し、追従性を評価した。評価は、異常が認められなかったものを「Ａ」、割れ、剥れ等の異常が認められたものを「Ｃ」とする３段階（Ａ＞Ｂ＞Ｃ）で行った。
【００５９】
（試験結果）
上記試験で使用した被覆材と、その試験結果を表２に示す。試験例１１〜１３では、概ね良好な結果が得られた。
【００６０】
【表２】
0005846771.tif 000003
【符号の説明】
【００６１】
１：断熱性基材
２：既存被膜
Ａ：着色被膜（Ａ）
Ｂ：透明被膜（Ｂ）
【図１】
0005846771.tif 000004
【図２】
0005846771.tif 000005